(57)【要約】      （修正有）【課題】カートリッジに収納できて記録容量をできるだけ多くすることができ、また、記録再生装置における位置決めが容易な光情報記録媒体を提供する。また、その光情報記録媒体に好適な光記録再生装置を提供する。【解決手段】光情報記録媒体１００は、位置決め用の基準孔１１３とアライメント孔１１４とを有する。このアライメント孔は、基準孔よりも大きく、例えば、楕円形或いは長円形をなしている。なお、記録媒体の形状は、外形およびその情報記録領域が方形状をなしている。さらに、記録再生装置の媒体引き出し部材がフックして光情報記録媒体を移動させることを可能にするための、係合部を有するようにしてもよい。上述の係合部の代わりに、或いはそれと共に、記録再生装置の媒体取り出し用のギア部材の歯車が噛み合い、ギア部材の回転により光情報記録媒体を移動させることを可能にするための、ギア部を有するようにしてもよい。【選択図】図１
2009110613.tif 000002
【特許請求の範囲】
【請求項１】
光情報記録に好適な光情報記録媒体であって、
位置決め用の基準孔とアライメント孔とを有し、
前記アライメント孔は、前記基準孔よりも大きいことを特徴とする光情報記録媒体。
【請求項２】
前記光情報記録媒体の外形およびその情報記録領域が方形状をなすことを特徴とする請求項１に記載の光情報記録媒体。
【請求項３】
さらに、記録再生装置の媒体引き出し部材がフックして前記光情報記録媒体を移動させることを可能にするための、係合部を有することを特徴とする請求項１又は２に記載の光情報記録媒体。
【請求項４】
さらに、記録再生装置の媒体取り出し用のギア部材の歯車が噛み合い、前記ギア部材の回転により前記光情報記録媒体を移動させることを可能にするための、ギア部を有することを特徴とする請求項１乃至３の何れか１項に記載の光情報記録媒体。
【請求項５】
前記光情報記録媒体は、上下基板の間にホログラム記録材料が充填されてなるホログラム記録媒体であることを特徴とする請求項１乃至４の何れか１項に記載の光情報記録媒体。
【請求項６】
光情報記録媒体に対して情報の記録又は再生動作を実行する、光記録再生装置であって、
位置決め用の基準孔とアライメント孔とを有する光情報記録媒体を載置し、前記基準孔とアライメント孔にそれぞれ嵌合する第１及び第２の位置決め用ピンを有する媒体載置部と、
光ヘッドユニットと、
前記光ヘッドユニットをＸ軸方向に移動させるための第１の移動手段と、
前記光ヘッドユニットをＹ軸方向に移動させるための第２の移動手段と、を備え、
前記基準孔が嵌合する前記第１の位置決め用ピンの位置が原点であり、前記第１の位置決め用ピンと第２の位置決め用ピンとを結んだ直線がＸ軸を構成し、Ｘ軸と垂直な直線がＹ軸を構成することを特徴とする光記録再生装置。
【請求項７】
前記光情報記録媒体はホログラム記録媒体であり、
前記光ヘッドユニットは、
光源と、
前記光源と記録すべき情報から情報光を生成する情報光生成手段と、
前記光源から参照光を生成する参照光生成手段と、
情報記録時には、前記情報光と前記参照光とを干渉させながら前記ホログラム記録媒体に照射し、情報再生時には前記参照光を前記ホログラム記録媒体に照射するように光照射制御手段と、
を備えることを特徴とする光記録再生装置。
【請求項８】
複数の前記光情報記録媒体がカートリッジに収納され、
さらに、前記カートリッジから所望の光情報記録媒体を１枚取り出し、取り出された前記所望の光情報記録媒体を前記媒体載置部に載置するための手段を備えることを特徴とする請求項６又は７に記載の光記録再生装置。
【発明の詳細な説明】
【技術分野】
【０００１】
本発明は、光情報記録媒体、及びそれに対して情報の記録再生を行うための光記録再生装置に関する。
【背景技術】
【０００２】
近年、ディスク等の記録媒体に記録される情報の量は増大化の一途を辿っており、カートリッジ当りの容量はより大きいものが好まれる状況にある。また、記録再生装置を複数台組み合わせ、ライブラリ形式で記録再生装置の台数より更に多い複数巻のカートリッジに記録再生を行う装置が出現して来ている。これらライブラリ装置は従来テープ媒体を主に用いているが、テープ媒体の性質上データへのアクセスに時間がかかるという課題がある。一方、アクセス性に優れるＣＤ、ＤＶＤ、ＭＯなど既存のデータ記録媒体は、コンピュータテープカートリッジとサイズが異なり、ハンドリングロボットを新作する必要が生じ、既存の設備が無駄となってしまうという欠点がある。
【０００３】
そこで、近年では、テープカートリッジと同一サイズのカートリッジ内にＣＤ、ＤＶＤ、ＭＯ等のディスクメディアを収納し、アクセス性を確保すると同時に既存のハンドリングロボットを流用しようとする製品が出現して来ている。
【０００４】
このようなＣＤ、ＤＶＤ、ＭＯ等のディスクメディアは、その性質上読み書きの間、常に回転している必要があり、また、回転の途中で或る信号が途切れ、ディスク上の位置情報を失ってしまうと、読み書きが出来ない状態となってしまう。従って、記録エリアはディスク形状（円形）であることが必要である。
【０００５】
ところで、近年注目を浴びているホログラム記録媒体は、光の干渉、回折現象を利用した記録媒体であり、参照光と情報（又は信号）光と呼ばれる２つの光の干渉パターンを記録媒体内部に立体的に記録できる記録媒体である。そして、特許文献１は、カートリッジに収めたホログラム記録媒体について開示しており、カートリッジの開口部から情報の記録再生を実行している。
【０００６】
【特許文献１】特開２００６−１７８３４１号公報
【発明の開示】
【発明が解決しようとする課題】
【０００７】
しかしながら、上述のＣＤ、ＤＶＤ、ＭＯ等のディスクメディアや特許文献１に開示されたホログラム記録媒体を収納する製品では、収納される記録媒体がディスク形状（円形）である必要があることから、通例方形状のカートリッジ内部に記録媒体で満たされない空間が生じてしまう。つまり、この空間には記録媒体が存在しないことになるため、記録容量向上のために、カートリッジ内部の空間全てを有効利用できていない。ホログラム記録媒体において、それを回転させずに記録再生動作を実行する場合には、記録媒体の形状をディスク状にする意味はない。また、ディスク形状の記録媒体の場合、方形状のカートリッジ内部にディスク状のメディアを収納させる必要があるため、多くの場合ディスクメディアをトレーに乗せて収納しており、カートリッジに収納できる記録媒体のサイズや枚数に制限を与えてしまっている。
【０００８】
その一方で、ディスク形状をなしていないホログラム記録媒体の場合、位置出しに問題があり、動画等の連続的な情報の記録には必ずしも適したものとはなっていない。
【０００９】
本発明はこのような状況に鑑みてなされたものであり、カートリッジに収納できて記録容量をできるだけ多くすることができ、また、記録再生装置における位置決めが容易な光情報記録媒体を提供するものである。
【課題を解決するための手段】
【００１０】
上記課題を解決するために、本発明による光情報記録媒体は、位置決め用の基準孔とアライメント孔とを有する。このアライメント孔は、基準孔よりも大きく、例えば、楕円形或いは長円形をなしている。なお、記録媒体の形状は、外形およびその情報記録領域が方形状をなしている。
【００１１】
さらに、記録再生装置の媒体引き出し部材がフックして光情報記録媒体を移動させることを可能にするための、係合部を有するようにしてもよい。
【００１２】
上述の係合部の代わりに、或いはそれと共に、記録再生装置の媒体取り出し用のギア部材の歯車が噛み合い、ギア部材の回転により光情報記録媒体を移動させることを可能にするための、ギア部を有するようにしてもよい。
【００１３】
これら係合部やギア部は、記録媒体がカートリッジに複数枚収納される場合に有益である。つまり、カートリッジから所望の媒体を取り出す際に、記録再生装置（ドライブ）が有する媒体引き出し部材或いはギア部材が、係合部或いはギア部に作用して、所望の媒体をカートリッジから取り出すことができる。
【００１４】
なお、本発明による光情報記録媒体を、上下基板の間にホログラム記録材料が充填されてなるホログラム記録媒体として構成してもよい。
【００１５】
また、本発明による光記録再生装置は、位置決め用の基準孔とアライメント孔とを有する光情報記録媒体を載置し、基準孔とアライメント孔にそれぞれ嵌合する第１及び第２の位置決め用ピンを有する媒体載置部と、光ヘッドユニットと、光ヘッドユニットをＸ軸方向に移動させるための第１の移動手段と、光ヘッドユニットをＹ軸方向に移動させるための第２の移動手段と、を備える。そして、基準孔が嵌合する第１の位置決め用ピンの位置が原点であり、第１の位置決め用ピンと第２の位置決め用ピンとを結んだ直線がＸ軸を構成し、Ｘ軸と垂直な直線がＹ軸を構成する。
【００１６】
光情報記録媒体はホログラム記録媒体であった場合、光ヘッドユニットは、光源と、光源と記録すべき情報から情報光を生成する情報光生成手段と、光源から参照光を生成する参照光生成手段と、情報記録時には、情報光と前記参照光とを干渉させながらホログラム記録媒体に照射し、情報再生時には参照光をホログラム記録媒体に照射するように光照射制御手段と、を備えている。
【００１７】
また、複数の前記光情報記録媒体がカートリッジに収納される場合には、カートリッジから所望の光情報記録媒体を１枚取り出し、取り出された前記所望の光情報記録媒体を前記媒体載置部に載置するための手段を備える。
【００１８】
さらなる本発明の特徴は、以下本発明を実施するための最良の形態および添付図面によって明らかになるものである。
【発明の効果】
【００１９】
本発明の光情報記録媒体によれば、カートリッジに収納できて記録容量をできるだけ多くすることができ、また、記録再生装置における位置決めが容易となる。また、そのような光情報記録媒体に好適な光記録再生装置を提供することができる。
【発明を実施するための最良の形態】
【００２０】
以下、本発明の実施形態に係るホログラム記録媒体について、添付図面を参照にしながら具体的に説明する。なお、本発明による実施形態は本発明を実現する上での一例に過ぎず、本発明はこれによって限定されるものではない。
【００２１】
＜ホログラム記録媒体の構造＞
図１乃至４は、本実施形態（第１乃至第４の形態）に係るホログラム記録媒体１００乃至１０３の構造を示す図である。図１乃至４において、ホログラム記録媒体１００乃至１０３は、方形状或いは方形状に類似の形状をなしており、上基板１１０と下基板１１２（例えば、それぞれ厚さ１ｍｍ）によってホログラム記録材料を挟んで形成されたホログラム記録層１１１（例えば、厚さ１．５ｍｍ）を備えている。また、各ホログラム記録媒体１００乃至１０３は、位置決め孔１１３及び１１４を有している。第１の位置決め孔１１３は円形で、後述の第１の位置決めピン２０４がピッタリ嵌合する大きさで構成されている。第２の位置決め孔１１４は楕円形或いは長円形で構成され、後述の第２の位置決めピン２０５がある程度の余裕を持って嵌合し、多少の位置ずれ（製造工程で形成された位置ずれ）を吸収できるようになっている。第１の位置決め孔は、ホログラム記録媒体１００乃至１０３が記録再生装置にセットされた場合に、記録位置として原点となる基準穴である。また、第１の位置決め孔（基準孔）と第２の位置決め孔（アライメント孔）を結んでなる直線がＸ軸となり、それに垂直な直線がＹ軸として設定される。これにより、ホログラム記録媒体上の情報の記録位置を管理できるようになる。ホログラム記録媒体１００は、他のホログラム記録媒体１０１乃至１０３とは異なり、係合部１１５もギア部１１６も有していない。従って、ホログラム記録媒体１００は、カートリッジから取り出して用いるものではなく、例えば、ユーザが第１及び第２の位置決め孔を第１及び第２の位置決めピン２０４及び２０５に嵌めて、媒体を記録再生装置の記録再生位置に載置して用いるものである。
【００２２】
また、図２に示す第２の形態のホログラム記録媒体１０１は、図１のホログラム記録媒体１００の構成に加えて、後述の媒体引き出し部材２０２が係合して媒体を後述のカートリッジ２００から引き出すための係合部（フック部）１１５をさらに備えている。係合部１１５の形状は、図２に示す形状に限定されるものではないが、媒体引き出し部材２０２の形状との組み合わせにおいて、スムーズにホログラム記録媒体１０１を引き出せるような形状が望ましい。従って、ホログラム記録媒体１０１は、媒体引き出し部材を有する記録再生装置対応のホログラム媒体ということになる。なお、第１及び第２の位置決め孔の設置位置は、図２に示された位置に限られるものではない。
【００２３】
さらに、図３に示す第３の形態のホログラム記録媒体１０２は、図１のホログラム記録媒体１００の構成に加えて、後述のギア部材２０７が噛合するギア部１１６を側面に備えている。このギア部１１６にギア部材２０７が噛合することによって、カートリッジ２００からホログラム記録媒体１０２を取り出すことができるようになっている。従って、ホログラム記録媒体１０２は、ギア部材を有する記録再生装置対応のホログラム媒体ということになる。
【００２４】
図４に示す第４の形態のホログラム記録媒体１０３は、図２のホログラム記録媒体１０１の構成に加えて、後述のギア部材２０７が噛合するギア部１１６を側面に備えている。このギア部１１６にギア部材２０７が噛合することによって、カートリッジ２００からホログラム記録媒体１０２を取り出すことができるようになっている。また、ホログラム記録媒体１０３は、媒体引き出し部材２０２によってもカートリッジ２００から取り出すことができるようになっている。
【００２５】
＜ローディングシーケンス＞
図５Ａ乃至Ｄは、ホログラム記録媒体１０１又は１０３のローディングシーケンスを示す図である。図６Ａ乃至Ｋは、ホログラム記録媒体１０２又は１０３のローディングシーケンスを示す図である。なお、アンロードのシーケンスは、単にローディングシーケンスの逆の動作になるので、ここではその説明は省略した。
【００２６】
（１）図５の場合について
複数枚のホログラム記録媒体１０１又は１０３が収納されたカートリッジ２００が記録再生装置に装着されると、カートリッジ蓋２０１が機構的に或いはモータ等の電気的動作によって開口する。また、媒体取り出しガイド部２０３のガイド口の高さと取り出し対象のホログラム記録媒体との高さを合わせるために、カートリッジ２００が例えば図示しない昇降手段によって上下に移動する。高さ合わせ動作が終わると、媒体引き出し部材２０２がカートリッジ２００の開口部まで伸びて行く。そして、媒体引き出し部材２０２の先端部が係合部１１５に係合し、ホログラム記録媒体１０１又は１０３が媒体取り出しガイド部２０３に完全に載置されるまで、当該媒体を引き出す（図５Ａ）。なお、図５Ａの状態を横から見た図が図５Ｂである。
【００２７】
続いて、図示しないガイド部移動機構が、ホログラム記録媒体１０１又は１０３を載置した媒体取り出しガイド部２０３を記録再生位置まで移動させる（図５Ｃ）。なお、図５Ｃの状態を横からみた図が図５Ｄである。図５Ｃ又はＤの状態においては、第１及び第２の位置決め孔１１３及び１１４は、それぞれ第１及び第２の位置決めピン２０４及び２０５に嵌合している。これにより、ホログラム記録媒体１０１又は１０３は、所定の情報記録再生位置に固定される。また、上述のように、原点、Ｘ軸及びＹ軸が決るので、ホログラム記録媒体１０１又は１０３における情報の記録位置を管理することができる。
【００２８】
（２）図６の場合について
図５の場合と同様に、複数枚のホログラム記録媒体１０２又は１０３が収納されたカートリッジ２００が記録再生装置に装着されると、カートリッジ蓋２０１が機構的に或いはモータ等の電気的動作によって開口する。また、媒体取り出しガイド部２０３のガイド口の高さと取り出し対象のホログラム記録媒体との高さを合わせるために、カートリッジ２００が例えば図示しない昇降手段によって上下に移動する。高さ合わせ動作が終わると、モータ駆動部２０６によってギア部材２０７が回転する。このギア部材２０７の歯車部分はホログラム記録媒体１０２又は１０３のギア部１１６に噛み合う。そして、ギア部材２０７が回転するに従い、取り出し対象のホログラム記録媒体１０２又は１０３がカートリッジ２００から取り出される（図６Ａ）。図６Ａは取り出し途中の様子を示しており、図６Ｂは図６Ａの状態を横から見た図であり、図６Ｃは図６Ａの状態を真上から見た図である。また、図６Ｄは、ギア部材２０７とギア部１１６とが噛み合った状態を示している。なお、ギア部材を反対側にもう一つ設け、さらに、ホログラム記録媒体の両側面に設けるようにしてもよい。この場合、よりスムーズに媒体をカートリッジから取り出せる可能性がある。
【００２９】
ギア部材２０７がさらに回転し続けると、ホログラム記録媒体１０２又は１０３が媒体取り出しガイド部２０３に完全に載置される。その状態になるとモータ駆動部２０６の動作が終了し、それによってギア部材２０７の回転が止まる。これにより、媒体の送り出し動作が終了する（図６Ｅ）。図６Ｆは図６Ｅの状態を横から見た図であり、図６Ｇは図６Ｅの状態を真上から見た図である。また、図６Ｈは、図６Ｅの状態におけるギア部材２０７とギア部１１６との噛合状態を示す図である。ギア部材２０７とギア部１１６とがこの状態にあれば、媒体取り出しガイド部２０３を移動することができる。
【００３０】
続いて、図示しないガイド部移動機構が、ホログラム記録媒体１０２又は１０３を載置した媒体取り出しガイド部２０３を記録再生位置まで移動させる（図６Ｉ）。なお、図６Ｉの状態を横からみた図が図６Ｊである。また、図６Ｉの状態を真上から見た図が図６Ｋである。図６Ｉ乃至Ｋの状態においては、第１及び第２の位置決め孔１１３及び１１４は、それぞれ第１及び第２の位置決めピン２０４及び２０５に嵌合している。これにより、ホログラム記録媒体１０２又は１０３は、所定の情報記録再生位置に固定される。また、上述のように、原点、Ｘ軸及びＹ軸が決るので、ホログラム記録媒体１０２又は１０３における情報の記録位置を管理することができる。
【００３１】
＜ホログラム記録媒体と光ヘッドとの位置関係＞
図７は、ホログラム記録媒体１００（１０１乃至１０３でも同様）が記録再生位置に載置されたときの、媒体１００と光ヘッドユニット１２との位置関係を示す図である。
【００３２】
上述のように、ホログラム記録媒体１００が記録再生位置にあるときには、第１の位置決め孔が第１の位置決めピンに嵌り、第２の位置決め孔が第２の位置決めピンに嵌っている。そして、第１の位置決めピンが原点を構成し、第１及び第２の位置決めピンを結んだ直線がＸ軸を構成する。また、Ｘ軸に垂直に、原点から伸びる直線がＹ軸となる。ホログラム記録においては、記録スポットの大きさは予め決められており、かつホログラム記録媒体１００の記録領域の大きさも予め分かっているので、原点とＸ及びＹ軸が決れば、記録スポットの位置を管理することができる。
【００３３】
光ヘッドユニット１２は駆動部を有し、矢印Ａ方向に移動可能なように第１のシャフト３０１に取り付けられている。また、第１のシャフトはその両端にそれぞれ駆動部を含むジョイント部３０３及び３０４を有し、それらジョイント部３０３及び３０４は、矢印Ｂ方向に移動可能なように第２のシャフト３０２（一対のシャフト）に取り付けられている。第１のシャフト３０１はＸ軸と平行に設けられ、第２のシャフト３０２はＹ軸に平行に設けられている。
【００３４】
以上のような構成を採ることにより、光ヘッドユニット１２はホログラム記録媒体１００の任意の箇所にアクセスすることができる。従って、ホログラム記録媒体１００の記録領域に効率よくかつ無駄なく情報を記録することができる。
【００３５】
＜ホログラム記録再生装置の構成、及び記録再生動作の概略＞
図８は、ホログラム記録再生装置３００の概略構成を示すブロック図である。図８において、ホログラム記録再生装置３００は、レーザ光源１、コリメータレンズ２、第１ビームスプリッタ４Ａ、第２ビームスプリッタ４Ｂ、空間光変調器５、２次元撮像素子６、記録光と再生光兼用の対物レンズ７、参照光用の対物レンズ８、プリズム９、反射ミラー１０、およびフォーカスアクチュエータ１１、記録再生されるデータ信号の処理を行う記録再生信号処理部３０、コントローラＩ／Ｆ３６および、記録すべきユーザデータを作成するパソコン等の上位装置３７とを備える。パソコン３７から与えられたユーザデータは、コントローラＩ／Ｆ３６を介して、記録再生信号処理部３０の記憶部３５に記録される。記憶部３５は、ＲＡＭなどの高速アクセス可能な半導体素子を用いることが好ましい。
【００３６】
記録再生信号処理部３０は、主として、ユーザデータを一時記憶する記憶部３５、与えられたユーザデータを符号化し、誤り訂正符号を生成する誤り訂正符号化部３４、符号化されたユーザデータを空間光変調器５へ与える形式のデータに変換する変調部３３、２次元撮像素子６から得た再生データを復調する復調部３１、復調されたデータに対して誤り訂正復号化処理をする誤り訂正復号化部３２によって構成される。
【００３７】
レーザ光源１は、たとえば半導体レーザ素子からなり、記録モードあるいは再生モードにおいて所定波長のレーザビームを出射するものである。このレーザ光源１からは、レーザビームがガウス分布状の光強度分布をもって出射される。レーザビームの光強度は、光束密度に比例する。コリメータレンズ２は、レーザ光源１から出射したレーザビームを平行ビームに変換するものである。このコリメータレンズ２から平行ビームとして出射されるレーザビームもまた、ガウス分布状の光強度分布をもつ。出射された平行ビームは、第１のビームスプリッタ４Ａに入射され、２つの方向に分離される。
【００３８】
第１のビームスプリッタ４Ａは、コリメータレンズ２から出射されたレーザビームを受け、このレーザビームを空間光変調器５に向かうホログラム記録用の情報光１８と、これとは別の光路を経て対物レンズ８へと向かう参照光１９とに分離する。第２のビームスプリッタ４Ｂは、空間光変調器５から対物レンズ７へと情報光１８を透過させる一方、記録媒体１００から対物レンズ７を通して戻ってくる再生光を受け、この再生光を２次元撮像素子６へと導く。
【００３９】
空間光変調器５は、たとえば液晶表示装置あるいはＤＭＤ（Deformable Mirror Device）からなり、記録モード時にのみ使用される。この空間光変調器５は、第１のビームスプリッタ４Ａを経て導かれてくる光強度分布が均一な情報光を２次元的な情報を表す情報光（２次元情報光）１８に変調するものである。
【００４０】
また、この情報光１８は、記録再生信号処理部３０の変調部３３から与えられたユーザデータに対応する分布を持つ光である。
【００４１】
２次元撮像素子６は、たとえばＣＣＤエリアセンサあるいはＣＭＯＳエリアセンサからなり、主として再生モード時に使用される。この２次元撮像素子６は、受光した再生光をデジタル信号に変換することにより、記録媒体１００の記録層にホログラムとして記録された２次元的な情報を取り出す部分である。
【００４２】
取り出された２次元情報であるデジタル信号は、記録再生信号処理部３０の復調部３１へ送られる。
【００４３】
記録光・再生光兼用の対物レンズ７および参照光用の対物レンズ８およびプリズム９は、光ヘッドユニット１２に一体化されており、参照光用の対物レンズ８は、記録光・再生光兼用の対物レンズ７に対して所定角度をなすように配置されている。この参照光用の対物レンズ８には、第１のビームスプリッタ４Ａから反射ミラー１０およびプリズム９を介して参照光１９が導かれてくる。
【００４４】
ヘッドユニット１２は、一方の対物レンズ７を通る情報光と他方の対物レンズ８を通る参照光とが記録媒体１００の記録層２３において互いに干渉するように、フォーカスアクチュエータ１１によって記録媒体の厚み方向に変位させられる。
【００４５】
フォーカスアクチュエータ１１は、電磁コイルなどで構成され、２つの光束（情報光１８、参照光１９）の干渉を調整する駆動手段である。たとえば、角度多重の場合は、対物レンズ８を駆動し、媒体に対する参照光１９の入射角度を調整するものである。
【００４６】
なお、各記録スポットの情報の管理に関して、ホログラム記録媒体１００の適当な場所に図示しない半導体チップメモリを取り付け、図示しない非接触型半導体読み取り装置（ＲＦＩＤ装置）によって各記録スポットの位置情報及び識別情報を読み出したり、書き込むようにしてもよい。この方法を用いれば、ホログラム記録媒体１００を感光させずに各記録スポットの情報を管理することができるので、記録領域を最大限に活用することができる。
【００４７】
また、上述のように参照光を用いて位置情報ピット群を読み出す（サーボ）ようにしているが、これに限られるものではない。例えば、レーザ光源１とは別に位置情報ピット群を読み出し動作専用のレーザ光源を用いることも可能である。例えば、記録再生用には青色波長レーザを用い、サーボ用には赤色波長のレーザを用いると、記録材料として青色レーザにのみ反応するようなものの場合には、サーボ動作の際に記録材料への影響を抑えることができる。
【００４８】
続いて、記録再生動作についてさらに説明する。記録モードの場合、光源１から出射したレーザビームは、コリメータレンズ２、第１のビームスプリッタ４Ａ、空間光変調器５、第２のビームスプリッタ４Ｂ、対物レンズ７を順次経ることにより、情報光１８として記録媒体１００に照射される。また、光源１から出射したレーザビームは、コリメータレンズ２、第１のビームスプリッタ４Ａ、反射ミラー１０、プリズム９、対物レンズ８を順次経ることにより、記録媒体１００の記録層２３で上記情報光１８と干渉するように参照光として照射される。ホログラム記録媒体１００においては、空間光変調器５により２次元情報光として変調された情報光１８と参照光１９とが光学的に干渉する結果、２次元的な情報を含むホログラムが記録される。
【００４９】
再生モードの場合、第１のビームスプリッタ４Ａから対物レンズ８を経て参照光のみが記録媒体１００に照射される。記録媒体の照射部位では、情報光および参照光の干渉によって記録されたホログラムに基づく再生光が生じ、この再生光が対物レンズ７および第２のビームスプリッタ４Ｂを通して２次元撮像素子６に受光される。これにより、ホログラム記録媒体１００にホログラムとして記録された情報が再生される。
【００５０】
＜まとめ＞
以上説明したように、本発明の実施形態によるホログラム記録媒体は、位置決め用の基準孔とアライメント孔とを有する。このアライメント孔は、基準孔よりも大きく、例えば、楕円形或いは長円形をなしている。なお、記録媒体の形状は、外形およびその情報記録領域が方形状をなすのが望ましい。ただし、方形状に限定されるものではなく、円形等他の形状を排除する趣旨ではない。以上のように、これら２つの孔により位置決めを容易に行うことができるようになる。また、基準孔とアライメント孔の形状が異なるため、記録媒体の裏表の判断が容易である。
【００５１】
さらに、記録再生装置の媒体引き出し部材がフックして光情報記録媒体を移動させることを可能にするための、係合部を有するようにしてもよい。上述の係合部の代わりに、或いはそれと共に、記録再生装置の媒体取り出し用のギア部材の歯車が噛み合い、ギア部材の回転により光情報記録媒体を移動させることを可能にするための、ギア部を有するようにしてもよい。このような構成を採ることにより、カートリッジに収納されたホログラム記録媒体を取り出すための機構を簡単な構成（部品点数も少ない）で実現することができるようになる。
【００５２】
また、光記録再生装置は、位置決め用の基準孔とアライメント孔とを有する光情報記録媒体を載置し、基準孔とアライメント孔にそれぞれ嵌合する第１及び第２の位置決め用ピンを有する媒体載置部と、光ヘッドユニットと、光ヘッドユニットをＸ軸方向に移動させるための第１の移動手段と、光ヘッドユニットをＹ軸方向に移動させるための第２の移動手段と、を備える。そして、基準孔が嵌合する第１の位置決め用ピンの位置が原点であり、第１の位置決め用ピンと第２の位置決め用ピンとを結んだ直線がＸ軸を構成し、Ｘ軸と垂直な直線がＹ軸を構成する。このようにすることにより、簡単に記録位置を管理することができるようになる。
【図面の簡単な説明】
【００５３】
【図１】本発明によるホログラム記録媒体（１）の外観を示す図である。
【図２】本発明によるホログラム記録媒体（２）の外観を示す図である。
【図３】本発明によるホログラム記録媒体（３）の外観を示す図である。
【図４】本発明によるホログラム記録媒体（４）の外観を示す図である。
【図５Ａ】ホログラム記録媒体の取り出しシーケンス１を示す図（１）である。
【図５Ｂ】図５Ａの状態を横から見た側面図である。
【図５Ｃ】ホログラム記録媒体の取り出しシーケンス１を示す図（２）である。
【図５Ｄ】図５Ｃの状態を横から見た側面図である。
【図６Ａ】ホログラム記録媒体の取り出しシーケンス２を示す図（１）である。
【図６Ｂ】図６Ａの状態を横から見た側面図である。
【図６Ｃ】図６Ａの状態を真上から見た上面図である。
【図６Ｄ】図６Ａの状態において、ギア部材とギア部とが噛み合った様子を示す図である。
【図６Ｅ】ホログラム記録媒体の取り出しシーケンス２を示す図（２）である。
【図６Ｆ】図６Ｅの状態を横から見た側面図である。
【図６Ｇ】図６Ｅの状態を真上から見た上面図である。
【図６Ｈ】図６Ｅの状態において、ギア部材とギア部とが噛み合った様子を示す図である。
【図６Ｉ】ホログラム記録媒体の取り出しシーケンス２を示す図（３）である。
【図６Ｊ】図６Ｉの状態を横から見た側面図である。
【図６Ｋ】図６Ｉの状態を真上から見た上面図である。
【図７】ホログラム記録媒体が記録再生動作にある様子を示す図である。
【図８】ホログラム記録媒体に対して情報記録再生を行うためのホログラム記録再生装置の概略構成を示す図である。
【符号の説明】
【００５４】
１００乃至１０３・・・ホログラム記録媒体
１１０、１１２・・・基板
１１１・・・ホログラム記録層
１１３・・・基準孔（第１の位置決め孔）
１１４・・・アライメント孔（第２の位置決め孔）
２００・・・カートリッジ
３００・・・ホログラム記録情報再生装置
【図１】
2009110613.tif 000003
【図２】
2009110613.tif 000004
【図３】
2009110613.tif 000005
【図４】
2009110613.tif 000006
【図５Ａ】
2009110613.tif 000007
【図５Ｂ】
2009110613.tif 000008
【図５Ｃ】
2009110613.tif 000009
【図５Ｄ】
2009110613.tif 000010
【図６Ａ】
2009110613.tif 000011
【図６Ｂ】
2009110613.tif 000012
【図６Ｃ】
2009110613.tif 000013
【図６Ｄ】
2009110613.tif 000014
【図６Ｅ】
2009110613.tif 000015
【図６Ｆ】
2009110613.tif 000016
【図６Ｇ】
2009110613.tif 000017
【図６Ｈ】
2009110613.tif 000018
【図６Ｉ】
2009110613.tif 000019
【図６Ｊ】
2009110613.tif 000020
【図６Ｋ】
2009110613.tif 000021
【図７】
2009110613.tif 000022
【図８】
2009110613.tif 000023